(57)【要約】【課題】ＡＣプラグ固定構造においてＡＣプラグの形状を変える毎に固定構造の形状を変えなければならず、さらに薄型テレビでは凹部形状を設けるスペースがないという課題があった。【解決手段】バックカバーにＡＣプラグ２０１の伝導金属部２０２を差し込む略長方形孔２０３と、端子部に設けられたリブ２０５に挟み込むことで凹部形状を設けることなく固定することが可能である。また固定部２０６に設けられた間隔の異なる傾斜部により、異なるＡＣプラグ形状においても、同一構造にて固定される。また、プラグを取り外す際、固定部２０６がプラグを抜く方向へ弾性変形することによりリブ２０５への負荷が軽減される。【選択図】図２
2006286281.tif 000002
【特許請求の範囲】
【請求項１】
ＡＣプラグの伝導金属部を挿入する２つの略長方形孔と、前記ＡＣプラグを挟む弾性の２つのリブとを備え、前記略長方形孔に挿入された前記ＡＣプラグは前記略長方形孔を持つ平面に対して前記略長方形孔の長辺の略平行方向にのみ動かすことができ、前記方向に動かすことによりリブに挟まれて固定され、前記２つのリブの間隔がリブの固定位置からの高さで異なることにより複数の形状のＡＣプラグが固定可能できることを特徴とするＡＣプラグの保持機構。
【請求項２】
前記リブは前記ＡＣプラグの伝導金属部の挿入方向へ弾性変形することを特徴とする請求項１記載のＡＣプラグの保持機構。
【請求項３】
前記リブは補強リブで固定されていることを特徴とする請求項２記載のＡＣプラグの保持機構。
【発明の詳細な説明】
【技術分野】
【０００１】
本発明はテレビなどに利用されるＡＣプラグの保持機構に関するものである。
【背景技術】
【０００２】
従来のＡＣコード固定ではＡＣプラグが固定されておらず、搬送時の振動によりバックカバーに傷をつけてしまうという   課題があった。この課題を解決するため、ＡＣプラグを固定する構造をバックカバーに有したものがある。（例えば特許文献１参照）
図９及び図１０は特許文献１に記載された従来のＡＣプラグの保持機構を示すものである。図９は保持構造の構成を示す図である。図１０は図９のＦ−Ｆ断面図である。
【０００３】
図９において、テレビのバックカバーにＡＣプラグ９０１の伝導金属部９０２を挿入するための長方形孔９０４と、ＡＣプラグ９０１の根本部９０５を固定するためのリブ９０６とＡＣプラグ９０１と略同じ形状を施した凹部９０３とを備えており、略長方形孔９０４でＡＣプラグ９０１の伝導金属部９０２を固定し、リブ９０６でＡＣプラグの根本部９０５を固定することでＡＣプラグ９０１を固定していた。
【特許文献１】特開平９−１８１４６３号公報
【発明の開示】
【発明が解決しようとする課題】
【０００４】
しかしながら従来のＡＣプラグの保持構造は、一つの形状のＡＣプラグにしか対応しておらず、形状の異なる複数のＡＣプラグを固定することができなかった。そこで、仕向地によりＡＣプラグの形状が異なる場合はそのＡＣプラグの形状に合わせてバックカバー凹部の形状を変更しなければならないという課題を有していた。また、薄型テレビは常に小型化、薄型化が求められており、少ないスペースで多数の部品が配置されているためバックカバーとテレビ内部の部品が近接している。そのためバックカバーの凹形状がセット内部側では凸形状となることで、部品と接触してしまうため上記特許文献１の発明を用いることができないという課題を有していた。
【０００５】
本発明は前記従来の課題を解決するもので、複数のＡＣプラグを固定できる構造であるため異なるＡＣプラグに対しても同じ形状で固定することができ、且つ、バックカバーの外側に固定手段を設けているため、薄型テレビにも適用できるＡＣプラグ保持機構を提供することを目的とする。
【課題を解決するための手段】
【０００６】
前記従来の課題を解決するために、本発明のＡＣプラグ保持構造は、バックカバーの段差部にＡＣプラグの伝導金属部を挿入するための２個の略長方形孔と、ＡＣプラグ根本部を両横から挟み込むために２本のリブを有する。そのリブにはＡＣプラグを挟み込む側に傾斜と段差が設けられており、挟み込むためのリブの間隔をリブの筐体への固定位置からの高さで異なる寸法にすることで、形状が異なるＡＣプラグの固定を可能にしている。また、挟み込み用のリブにはＡＣプラグ抜き差しの際、抜き差しと同じ方向に力が作用するため、それと同じ方向へ一部のリブを弾性変形させることで、負荷を変形に作用させリブ全体への負荷を軽減している。
【０００７】
本構成によって、一つのＡＣプラグ固定構造で異なる形状のＡＣプラグの固定が可能となり、またＡＣプラグの抜き差し方向に対し強度が確保されたリブ構造となる。
【発明の効果】
【０００８】
本発明のＡＣプラグ保持構造によれば、異なる形状のＡＣプラグを固定することが可能であるため、各仕向け地のＡＣプラグ形状に対し、保持構造の形状を変更する必要がなく、薄型テレビにおいても対応することができる。
【発明を実施するための最良の形態】
【０００９】
以下本発明を実施するための最良の形態について、図面を参照しながら説明する。
【００１０】
（実施の形態１）
図１はＡＣプラグ保持機構の斜視図である。また、図２は本発明の実施の形態１におけるＡＣプラグ挟み込み用リブの三面図である。図１において、端子部１０２から出たＡＣコード１０３のＡＣプラグ１０４がバックカバー１０１へ固定される。図２においてＡＣプラグ挟み込み用リブ２０１は傾斜部２０４、傾斜部２０５及び段差２０３で構成されており、補強リブ２０２に固定されている。図３はＡＣプラグ挟み込み用リブ２０１にＡＣプラグ３０３を挿入したときの上面図である。金属伝道部３０１はＡＣプラグ３０３の伝導金属部であり、略長方形孔３０２は伝導金属部３０１を挿入するために筐体に備え付けられた略長方形孔である。また、図４は図３のＢ−Ｂ断面図である。ＡＣプラグ３０３はＡＣプラグ挟み込み用リブ２０１により固定される。
【００１１】
まず、ＡＣプラグ３０３の固定法について説明する。ＡＣプラグ３０３の伝導金属部３０１を、伝導金属部３０１よりも僅かに大きい２本の略長方形孔３０２に挿入する。ＡＣプラグ３０３を略長方形孔３０２に沿って下へずらすことにより、ＡＣプラグ部３０３は、端子部１０２に設けられた２本の挟み込み用リブ２０１の傾斜部２０５に挟まれ固定される。図５は図４のＡＣプラグ３０３とは異なる形状のＡＣプラグ５０１を使用したときのＢ−Ｂ断面図である。図２において示したように、挟み込み用リブ２０１は間隔の異なる傾斜部２０４及び傾斜部２０５を備えている。この形状によりＡＣプラグ５０１はＡＣプラグ３０３と同様の動作で端子部１０２に設けられた２本の挟み込み用リブ２０１の傾斜部２０４に挟まれ固定される。
【００１２】
次にＡＣプラグ３０３を固定から開放する方法について説明する。ＡＣプラグ３０３は端子部１０２に設けられた２本の挟み込み用リブ２０１の傾斜部２０５に挟まれ固定されている。ＡＣプラグ３０３を略長方形孔３０２に沿って上へずらすことで挟み込み用リブ２０１から開放される。その後、２本の略長方形孔３０２に挿入された伝導金属部３０１を引き抜くことにより固定から開放する。また、ＡＣプラグ５０１も同様の動作で固定から開放することが可能である。
【００１３】
また、ＡＣプラグ３０３及びＡＣプラグ５０１は略長方形孔３０２から引き抜くことでも固定から開放することが可能である。図６はＡＣプラグ３０１を引き抜くことで固定を開放する時の動作図である。ＡＣプラグ３０１をＣの方向へ取り外す際、ＡＣプラグ挟み込み用リブ２０１がＡＣプラグ３０１とともに引っ張られるようにＤ方向へ弾性変形する。これにより負荷が弾性変形した補強リブ２０１のＤ方向へ力が分散するためＣの方向に伸びたリブ２０２に対する負荷は軽減される。また、ＡＣプラグ３０１の差込みにおいても同様に、Ｃと逆方向に差し込む動作により、ＡＣプラグ挟み込み用リブ２０１がＤとは逆方向へ弾性変形することにより、負荷が変形に対して作用しＣの方向に伸びたリブ２０２に対する負荷が軽減される。
【００１４】
本実施の形態によるＡＣプラグの保持機構では、複数のＡＣプラグ形状を固定でき、且つ、挟み込みようのリブのみを弾性変形させることでリブ全体への負荷を軽減することが可能となる。また、２本の略長方形孔と挟み込み用のリブのみの構成であり、内部部品の配置に影響を与えないので薄型テレビにおいて異なる形状のＡＣプラグに対してバックカバーの形状を変える必要が無くなる。
【００１５】
なお、本実施の形態では図２に示すリブの構造としたがそれに限るものではなく、図７に示すようにＡＣプラグ挟み込み用リブ２０１の数を増やす事でＡＣプラグ３０３の固定を安定させることができるし、図８に示すように補強リブ２０２の外側をさらに補強する補強リブ８０１を備えることにより補強リブ２０２を補強することができる。
【産業上の利用可能性】
【００１６】
本発明にかかるＡＣプラグ保持機構は、複数のプラグを固定できる機構であるので、電子機器のＡＣプラグ保持機構として有用である。
【図面の簡単な説明】
【００１７】
【図１】本発明の実施の形態１におけるＡＣプラグ保持機構の斜視図
【図２】（ａ）本発明の実施の形態１におけるＡＣプラグ挟み込み用リブの上面図（ｂ）本発明の実施の形態１におけるＡＣプラグ挟み込み用リブの断面図（ｃ）本発明の実施の形態１におけるＡＣプラグ挟み込み用リブの側面図
【図３】ＡＣプラグを挿入した場合の上面図
【図４】図３においてＡＣプラグ３０３を固定した時のＢ−Ｂ断面図
【図５】図３においてＡＣプラグ５０３を固定した時のＢ−Ｂ断面図
【図６】ＡＣプラグ引き抜き時の動作図
【図７】その他の実施の形態を示す図
【図８】その他の実施の形態を示す図
【図９】従来のＡＣプラグ保持構造の構成の一例を示す図
【図１０】図９のＦ−Ｆ断面図
【符号の説明】
【００１８】
１０１  バックカバー
１０２  端子部
１０３  ＡＣコード
１０４  ＡＣプラグ
２０１  ＡＣプラグ挟み込み用リブ
２０２  補強リブ
２０３  段差部
２０４  傾斜部
２０５  傾斜部
３０１  伝導金属部
３０２  略長方形孔
３０３  ＡＣプラグ
５０１  伝導金属部
５０３  ＡＣプラグ
８０１  補強リブ
９０１  ＡＣプラグ
９０２  伝導金属部
９０３  凹部
９０４  長方形孔
９０５  根本部
９０６  リブ
１００１  ＡＣコード
１００２  バックッカバー
【図１】
2006286281.tif 000003
【図２】
2006286281.tif 000004
【図３】
2006286281.tif 000005
【図４】
2006286281.tif 000006
【図５】
2006286281.tif 000007
【図６】
2006286281.tif 000008
【図７】
2006286281.tif 000009
【図８】
2006286281.tif 000010
【図９】
2006286281.tif 000011
【図１０】
2006286281.tif 000012